(57)【要約】    【課題】  磁気による目視データの表示機能を備えた非接触ＩＣカードの表裏両面の印刷を可能にし、カードデザインの自由度を向上させた非接触ＩＣカードを提供する。    【解決手段】  非接触ＩＣカード１は、非接触でデータの記憶及び更新を行うＩＣ層３と、ベースフィルム５上にデータを磁気記録する磁気層６と目視データの視認性向上のための印刷層７を積層した磁気媒体層２と、ＩＣ層３上に設けられた透明フィルム４等を備え、磁気媒体層２、ＩＣ層３及び透明フィルム４で囲まれる密閉した空間部１１に磁性粒子１２を封入し、磁性粒子１２で表示される空間部１１内の目視データを外部から視認できる構成である。【選択図】  図１
2005135019.tif 000002
【特許請求の範囲】
【請求項１】
外部と非接触で交信してデータの記憶及び更新を行うためのＩＣとアンテナを有するＩＣ層と、データを磁気記録する磁気層を有する磁気媒体層と、該磁気媒体層上に形成され前記磁気層の磁気データに基づく磁性粒子の配列による目視データを外部から視認可能とする表示領域とを備えた非接触ＩＣカードにおいて、
前記磁気媒体層は、ベース層を有し、該ベース層の前記表示領域側の面のみに前記目視データ用の前記磁気データを記録する磁気層を備える構成としたことを特徴とする非接触ＩＣカード。
【請求項２】
前記磁気媒体層は、前記ベース層と、該ベース層の表示領域側の面に設けた前記磁気層と、該磁気層の少なくとも前記表示領域に対応する部位に設けられ目視データの視認性を高めるための印刷層とを順次積層して構成した請求項１に記載の非接触ＩＣカード。
【請求項３】
穴部を形成したコア層を、前記磁気媒体層と透視層との間に設け、前記磁気媒体層、透視層及びコア層で囲まれる空間部に前記磁性粒子を封入して当該空間部領域を前記表示領域とする共に、前記透視層上に、外部から前記空間部が視認できるように前記ＩＣ層を積層した請求項１又は２に記載の非接触ＩＣカード。
【請求項４】
前記表示領域を複数設けた請求項１〜３のいずれか１つに記載の非接触ＩＣカード。
【請求項５】
前記表示領域を、カード周縁領域に配置した請求項１〜４のいずれか１つに記載の非接触ＩＣカード。
【請求項６】
カード方向を判別するための方向判別手段を有する請求項１〜５のいずれか１つに記載の非接触ＩＣカード。
【請求項７】
前記磁気層に、前記方向判別手段である磁気データを記録する方向判別用磁気データ記録領域を設けた請求項１〜５のいずれか１つに記載の非接触ＩＣカード。
【請求項８】
外部と非接触で交信してデータの記憶及び更新を行うためのＩＣとアンテナを有するＩＣ層と、データを磁気記録する磁気層を有する磁気媒体層と、前記磁気層の磁気データに基づく磁性粒子の配列による目視データを外部から視認可能とする表示領域とを備え、前記磁気媒体層が、ベース層を有し、該ベース層の前記表示領域側の面のみに前記目視データ用の前記磁気データを記録する磁気層を備え、前記表示領域がカード搬送方向と直交する方向に複数配置された非接触ＩＣカードを処理対象とし、搬送経路上の非接触ＩＣカードの前記磁気層に対して、前記目視データの表示処理を行う目視データ処理手段を有する非接触ＩＣカード処理装置において、
前記目視データ処理手段が、前記複数の表示領域に対応するそれぞれの磁気層領域に対して、目視データに対応する磁気データの書き換え処理をそれぞれ行う複数の磁気ヘッド部を備える構成としたことを特徴とする非接触ＩＣカード処理装置。
【請求項９】
搬送経路上の非接触ＩＣカードに対して、前記ＩＣ層のＩＣに記憶された記憶データに基づいて前記表示領域の目視データのみを書き換え可能な構成とした請求項８に記載の非接触ＩＣカード処理装置。
【請求項１０】
複数の表示領域の目視データを選択して書き換え可能な構成とした請求項８又は９に記載の非接触ＩＣカード処理装置。
【発明の詳細な説明】
【技術分野】
【０００１】
本発明は、目視データの表示機能を備え、データの記憶及び更新を非接触で行うことが可能な非接触ＩＣカード及び非接触ＩＣカード処理装置に関する。
【背景技術】
【０００２】
非接触ＩＣカードは、処理可能なデータ量が多く、データ処理が確実で安全性に優れている。また、記憶データの読み取り及び書き込み処理の際に、処理装置のアンテナ等に接触させる必要がないため長寿命である。このことから、非接触ＩＣカードは、例えば、パーキングカード、ポイントカード、定期券、入場券等の各種情報記憶媒体として様々な情報システムに適用されており、特に、発行、更新及び回収を繰り返し行ってカードをリサイクルするシステムに適している。
【０００３】
従来、このような非接触ＩＣカードには、記憶データ等に対応した目視データをカード表面等に表示する表示機能を備えたものがある。例えば、熱可逆性の感熱層から成る目視データの表示部を備えるもの、或いは、磁気媒体層と可透視層間に磁性粒子を封入した表示部を備え、磁気媒体層の磁気による磁性粒子の配列状態を透視可能としたものがあり、後者の非接触ＩＣカードとして、本出願人により提案されたものがある（例えば、特許文献１参照）。
【０００４】
かかる非接触ＩＣカードは、磁気データを記録する磁気媒体層上に、外部と非接触で交信してデータの記憶及び更新を行うためのＩＣとアンテナを備えると共に穴部を有するＩＣ層を積層し、ＩＣ層上に更に透明フィルムを積層し、透明フィルムとＩＣ層と磁気媒体層で囲まれる空間部に磁性粒子を封入した表示領域を形成してある。そして、磁気媒体層の磁気層に目視データに対応したデータを磁気記録し、この磁気層の磁気による磁性粒子の配列状態で目視データを表示領域に表示させる。
【特許文献１】特開２０００−２５１０３６号公報
【発明の開示】
【発明が解決しようとする課題】
【０００５】
ところで、従来の非接触ＩＣカードの磁気媒体層は、ベースフィルムの表示領域（空間部）とは反対側のカード外面となる面にも、目視データ用の磁気データを記録する磁気層や目視データ用磁気データとは別の情報用磁気データを記録するための磁気層を設けていた。このため、磁気層側のカード表面に美観のための印刷層を設ける場合は、磁気層に対する磁気処理に影響を与えない特殊な印刷処理（隠蔽層）を必要とした。
本発明は前記問題点に着目してなされたもので、カード両面に容易に印刷可能とすることにより、カードデザインの自由度を向上させた非接触ＩＣカードを提供する。また、この非接触ＩＣカードのデータ処理をする非接触ＩＣカード処理装置を提供することを目的とする。
【課題を解決するための手段】
【０００６】
このため請求項１の発明は、外部と非接触で交信してデータの記憶及び更新を行うためのＩＣとアンテナを有するＩＣ層と、データを磁気記録する磁気層を有する磁気媒体層と、該磁気媒体層上に形成され前記磁気層の磁気データに基づく磁性粒子の配列による目視データを外部から視認可能とする表示領域とを備えた非接触ＩＣカードにおいて、前記磁気媒体層は、ベース層を有し、該ベース層の前記表示領域側の面のみに前記目視データ用の前記磁気データを記録する磁気層を備える構成とした。
かかる構成では、ベース層の表示領域側の面のみに前記目視データ用の磁気データを記録する磁気層を備えるので、カード外面となるベース層の他側の面に対して、特殊な印刷をせずに通常の印刷が可能となる。
【０００７】
前記磁気媒体層は、具体的には、請求項２のように、前記ベース層と、該ベース層の表示領域側の面に設けた前記磁気層と、該磁気層の少なくとも前記表示領域に対応する部位に設けられ目視データの視認性を高めるための印刷層とを順次積層して構成した。
【０００８】
非接触ＩＣカードは、請求項３のように、穴部を形成したコア層を、前記磁気媒体層と透視層との間に設け、前記磁気媒体層、透視層及びコア層で囲まれる空間部に前記磁性粒子を封入して当該空間部領域を前記表示領域とする共に、前記透視層上に、外部から前記空間部が視認できるように前記ＩＣ層を積層する構成とするとよい。
【０００９】
非接触ＩＣカードは、請求項４のように、前記表示領域を複数設ける構成とするとよい。
かかる構成では、各表示領域に種々の目視データの表示が可能になる。
非接触ＩＣカードは、請求項５のように、前記表示領域を、カード周縁領域に配置する構成としてもよい。
【００１０】
非接触ＩＣカードは、請求項６のように、カード方向を判別するための方向判別手段を有するとよい。具体的には、例えば請求項７のように、前記磁気層に、前記方向判別手段である磁気データを記録する方向判別用磁気データ記録領域を設けるとよい。
かかる構成では、処理装置にカードを挿入した際に、方向判別用磁気データ記録領域に記録された磁気データに基づいてカードの方向判別処理が可能になる。
【００１１】
請求項８の本発明の非接触ＩＣカード処理装置は、外部と非接触で交信してデータの記憶及び更新を行うためのＩＣとアンテナを有するＩＣ層と、データを磁気記録する磁気層を有する磁気媒体層と、前記磁気層の磁気データに基づく磁性粒子の配列による目視データを外部から視認可能とする表示領域とを備え、前記磁気媒体層がベース層を有し、該ベース層の前記表示領域側の面のみに前記目視データ用の磁気データを記録する磁気層を備え、前記表示領域がカード搬送方向と直交する方向に複数配置された非接触ＩＣカードを処理対象とし、搬送経路上の非接触ＩＣカードの前記磁気層に対して、前記目視データの表示処理を行う目視データ処理手段を有する非接触ＩＣカード処理装置において、前記目視データ処理手段が、前記複数の表示領域に対応するそれぞれの磁気層領域に対して、目視データに対応する磁気データの書き換え処理をそれぞれ行う複数の磁気ヘッド部を備える構成とした。
【００１２】
かかる構成では、搬送経路を非接触ＩＣカードが移動する際に、カード搬送方向と直交する方向に複数ある表示領域に対応するそれぞれの磁気層領域に対して、それぞれの磁気ヘッド部が目視データに対応する磁気データの書き換え処理を行うようになる。
【００１３】
請求項８のように、搬送経路上の非接触ＩＣカードに対して、前記ＩＣ層のＩＣに記憶された記憶データに基づいて前記表示領域の目視データのみを書き換え可能な構成とするとよい。
かかる構成では、目視データが更新されずにＩＣに記憶データだけが更新されるような場合に、更新されたＩＣの記憶データに基づいて目視データのみを書き換え処理することにより、ＩＣ内の記憶データ更新後でも、最新の記憶データを目視データで確認できるようになる。
【００１４】
請求項９のように、複数の表示領域の目視データを選択して書き換え可能な構成とするとよい。
かかる構成では、書き換えを必要とする表示領域だけの書き換え処理が可能になる。
【発明の効果】
【００１５】
以上説明したように本発明の非接触ＩＣカードによれば、カード表面に目視データ用の磁気データを記録する磁気層が露出しないので、非接触ＩＣカードの表裏両面に容易に印刷層を設けることが可能となり、非接触ＩＣカードの表面デザインの自由度が向上する。
【００１６】
また、請求項３の非接触ＩＣカードによれば、コア層を設けて磁性粒子の封入空間部を形成する構成としたので、第１実施形態と同様の効果に加えて、ＩＣ層の厚さに影響されずに磁性粒子の封入空間部の高さを管理でき、磁性粒子の量を適切に管理でき、目視データの視認性を向上できる。また、ＩＣ層の厚さ制限がなくなるので、多種類のＩＣ層を利用可能となる。更に、非接触ＩＣカード製造時に、磁性粒子の封入工程とＩＣ層の積層工程を別工程でできるので、製造時の自由度が向上すると共に、磁性粒子等による製造設備への悪影響が低減され、ＩＣ層の無駄も低減でき、非接触ＩＣカードの製造コストを大幅に低減できる。
【００１７】
請求項４の非接触ＩＣカードによれば、種々の目視データを各表示領域に個別に、しかも、目視データの大きさを異ならせて表示することが可能になる。
請求項６の非接触ＩＣカードによれば、処理装置にカードを挿入した際のカードの方向判別が可能になるので、目視データの正確な表示処理が可能になる。
【００１８】
本発明の非接触ＩＣカード処理装置によれば、磁気ヘッド部を複数設けたので、複数の表示領域を有する非接触ＩＣカードの表示処理が可能になる。
請求項８の非接触ＩＣカード処理装置によれば、目視データの書き換え処理だけを行う目視データ更新処理機等に適用できる。
請求項９の非接触ＩＣカード処理装置によれば、略固定の目視データと頻繁に書き換える目視データを複数の表示領域に分けて表示させ、頻繁に書き換える目視データだけを選択して書き換えることが可能になる。
【発明を実施するための最良の形態】
【００１９】
以下、本発明の実施の形態を添付図面に基づいて詳細に説明する。
図１及び図２は、本発明に係る非接触ＩＣカードの第１実施形態を示す図で、図１は断面図、図２は平面図である。
図１及び図２において、本実施形態の非接触ＩＣカード１は、磁気データを記録する磁気媒体層２と、ＩＣ層としてのＩＣカードシート３と、透視層としての透明フィルム４とを備え、磁気媒体層２とＩＣカードシート３とが接着剤で接着され、ＩＣカードシート３と透明フィルム４とが接着剤で接着されて一体に構成される。
【００２０】
前記磁気媒体層２は、ベース層としてのベースフィルム５の後述する表示領域側の面のみに目視データ用磁気データを記録する磁気層６が設けられ、磁気層６上には、後述する目視データの視認性を高めるための例えば白又はシルバー色の極めて薄い印刷層７が設けられている。尚、印刷層７は、磁気層６の全面に設けてもよいが、少なくとも磁気層６の表示領域に対応する部位に設ければよい。尚、ベース層は、磁気媒体層の基材となるものであり、フィルム状の樹脂、紙等で形成することができる。前記樹脂としてはＰＥＴ（ポリエチレン・テレフタレート）等がある。また、印刷層７の色は、白又はシルバー色が望ましいが、磁性粒子が見分けられる色であればよく、白又はシルバー色に限定するものではない。
【００２１】
前記ＩＣカードシート３は、外部と非接触で交信してデータの記憶及び更新を行うためのＩＣ８とアンテナ９とを備えると共に穴部１０を備える。穴部１０は、例えばＩＣカードシート３の略中央に磁気層６上方に位置するよう設けられ、アンテナ９は穴部１０の周囲を周回するように設けられている。尚、アンテナ９は、外部からの信号を受信可能な形状及び位置に形成されればよく、穴部１０の周囲を周回する形状に限定されるものではない。尚、磁気データの書き換え処理時における磁気ヘッドと磁気層６との良好な接触性を考慮すれば、ＩＣ及びアンテナ９は、シート３内に埋設状態で設けるか、シート３の磁気媒体層２とは反対側の面に設けることが望ましい。
【００２２】
前記透視層としての透明フィルム４は、例えばＰＥＴ（ポリエチレン・テレフタレート）等から成り、ＩＣカードシート３上面に設けられる。これにより、ＩＣカードシート３の穴部１０が密閉され、磁気媒体層２、透明フィルム４及びＩＣカードシート３によって囲まれて密閉された空間部１１が形成される。この空間部１１に磁性粒子１２を移動自在に封入し、磁気層６に磁気データを書き込むと、この磁気データに応じた磁気層６からの漏れ磁束により磁性粒子１２の配列状態が変化して前記磁気データに応じた目視データが表示される。磁気層６と磁性粒子１２の色が略同色であるため例えば白又はシルバー色の印刷層７を設けることで、磁性粒子１２で形成される目視データの視認が良好となる。ここで、前記空間部１１領域が前述の表示領域となる。本実施形態では、穴部１０をＩＣカードシート３の中央部に形成して、表示領域が非接触ＩＣカード１の略中央部に位置する構成としたが、穴部１０はＩＣ８とアンテナ９の配置領域以外の領域に形成すればよく、アンテナ形状に応じて例えば非接触ＩＣカード１の周縁部に設けるようにしてもよく、この場合、磁気媒体層２の磁気層６も穴部１０の下方に位置するよう設ける。このように、表示領域は、非接触ＩＣカード１の中央部に限らず、ＩＣ８及びアンテナ９の配置状態に応じてＩＣ８及びアンテナ９に影響しない領域であればどのような位置でもよい。
尚、透視層は、フィルム状の樹脂製が望ましいが、透視可能なものであれば材質は樹脂に限らずどのようなものでもよい。また、透明に限定されることなく、透視可能であるならば、半透明又は着色されていてもよい。また、空間部１１内には、磁性粒子の代わりに磁性粒子を分散させた液体を封入してもよい。
【００２３】
磁気媒体層２のベースフィルム５の他方の面及び透明フィルム４の上面、即ち、非接触ＩＣカード１の表面となる部分には、表面印刷層１３，１４が密着形成されている。透明フィルム４上面側の表面印刷層１４には、空間部１１領域に対応する部分に窓部１５が形成され、該窓部１５から表示領域の目視データが視認できる。尚、磁気媒体層２側の印刷層１３を設ける場合は、磁気媒体層２のベースフィルム５を白色にするのが望ましい。
【００２４】
また、磁気層６の一部に、図２に示すように、非接触ＩＣカード１を処理装置に挿入する際のカード挿入方向を判別するための方向判別手段としての磁気データである磁気マーク１６を記録する方向判別用磁気データ記録領域１７を設け、非接触ＩＣカード１の発行時に磁気マーク１６を記録可能な構成とするとよい。尚、方向判別手段としては、磁気データの他、カードに形成する切欠や印刷による記号、印（例えばバーコード）等を利用してもよい。
【００２５】
かかる第１実施形態の非接触ＩＣカード１によれば、従来のようにカード表面側に目視データ用の磁気データを記録する磁気層が露出しないので、従来のような隠蔽層のような特殊な印刷処理をする必要がなく、通常の表面印刷層を非接触ＩＣカード１の表裏両面に可能となる。このため、非接触ＩＣカード１の表面デザインにおける制限が緩和され、カードデザインの自由度が高く実用的効果が向上する。
【００２６】
また、処理装置へのカード挿入方向を判別するための磁気マーク１６を記録する領域１７を設ければ、非接触ＩＣカード１に対する適正な目視データ処理ができ、目視データを正確に表示させることができる。
【００２７】
図３は、本発明に係る非接触ＩＣカードの第２実施形態を示す断面図である。尚、第１実施形態と同一要素には同一符号を付して説明を省略する。
図３において、本実施形態の非接触ＩＣカード２０は、磁気媒体層２とＩＣカードシート３との間に、コア層２１と透明フィルム２３を追加して構成した。
【００２８】
前記コア層２１は、例えばポリエステルフィルム或いはＰＥＴ等からなり、略中央で磁気層６上方に位置する部位に穴部２２を有する。透視層としての透明フィルム２３は、前述した透明フィルム４と同様にＰＥＴ等からなり、コア層２１とＩＣカードシート３との間に設ける。これにより、コア層２１の穴部２２が密閉され、磁気媒体層２、透明フィルム２３及びコア層２１によって囲まれて密閉された空間部２４が形成され、この空間部２４に磁性粒子１２を移動自在に封入する。従って、第２実施形態の非接触ＩＣカード２０では、この空間部２４が目視データを表示する表示領域に相当する。尚、本実施形態の透視層も第１実施形態の透視層と同様で、フィルム状の樹脂製が望ましいが、透視可能なものであれば材質は樹脂に限らずどのようなものでもよい。また、透明に限定されることなく、透視可能であるならば、半透明又は着色されていてもよい。
【００２９】
そして、透視フィルム２３上に、ＩＣカードシート３を外部から空間部２４が視認できるように積層する。具体的には、図３に示すように、空間部２４に対応するＩＣカードシート３の部位に穴部１０を設け、外部から空間部２４内が視認できるようにする。尚、本実施形態の構成では、ＩＣカードシート３自体が透視可能なものであれば穴部１０を設けなくともよい。また、ＩＣカードシート３表面が十分な平滑性を有し、直接に表面印刷層１４を設けることが可能であれば透明フィルム４は設けなくともよい。
【００３０】
また、本実施形態の場合も、磁気層６の一部に、非接触ＩＣカード１を処理装置に挿入する際のカード挿入方向を判別するための方向判別用磁気データとして磁気マーク１６を記録する方向判別用磁気データ記録領域１７を設け、非接触ＩＣカード１の発行時に磁気マーク１６を記録可能な構成とするとよい。
【００３１】
かかる第２実施形態の非接触ＩＣカード１によれば、第１実施形態と同様の効果に加えて、ＩＣカードシート３の厚さに左右されず空間部２４の高さを管理できるので、磁性粒子１２の配列状態が明確となるように適正な空間部２４の容積及び磁性粒子１２の量を設定でき、目視データの視認性を向上できる。更に、ＩＣカードシート３についてはどのような厚さでもよいので、多種類のＩＣカードシートを適用できる。また、非接触ＩＣカード２０の製造時に、磁性粒子の封入工程とＩＣカードシート３の積層工程を別工程とすることが可能となり、例えば細かい磁性粒子が周囲に飛び散ることによりＩＣカードシートが無駄になる等の問題を解消でき、非接触ＩＣカード２０の製造コストを大幅に低減できる。また、製造設備や工程に対する磁性粒子の影響を低減でき、製造における自由度を高めることができる。
【００３２】
図４は、本発明に係る非接触ＩＣカードの第３実施形態を示す平面図である。尚、第１実施形態と同一要素には同一符号を付す。
図４において、本実施形態の非接触ＩＣカード３０は、表示領域となる複数の空間部３１ａ，３１ｂ，３１ｃ，３１ｄを設ける構成である。尚、この非接触ＩＣカード３０の積層構造は、第１及び第２実施形態のいずれの構成でもよい。
【００３３】
かかる第３実施形態の非接触ＩＣカード３０によれば、種々の目視データ、例えば、カード所有者を特定する情報やカードの内容に関する情報等を各表示領域に個別に表示できるようになる。カード所有者を特定する情報としては、カードの利用形態（クレジットカード、定期券、ポイントカード、パーキングカード、入場券、搭乗券等）に応じて色々あるが例えば、名前、住所、会員番号、カード番号等が考えられる。また、カードの内容に関する情報としては、同じくカードの利用形態に応じて色々あるが例えば有効期限、残金、利用履歴、残ポイント数、座席番号等が考えられる。また、各表示領域の表示の大きさを異ならせた種々の目視データを表示させることが可能になる。
尚、上記各実施形態において、ベースフィルム５の印刷層１３側に、磁気マーク１６記録専用の極めて小さい磁気層を設けるようにしてもよい。この場合、磁気層部分には隠蔽層印刷処理をすることが望ましいが、磁気層部分が小さいので負担にはならない。また、ベースフィルム５の印刷層１３側或いは印刷層１３表面に、磁気インクを用いて方向判別用磁気マークを設けるようにしてもよい。
【００３４】
次に、本発明に係る非接触ＩＣカード処理装置について説明する。
図５は、本発明に係る非接触ＩＣカード処理装置の第１実施形態の構成を簡略的に示した側方断面図である。
図５において、本実施形態の非接触ＩＣカード処理装置１００は、複数の表示領域を備える非接触ＩＣカード３０を処理対象とするものであり、非接触ＩＣカード３０を搬送する搬送手段である搬送部１１０と、非接触ＩＣカード３０のＩＣ８に対してデータの読み取り及び書き込み処理（以下、Ｒ／Ｗ処理とする）を行う記憶データ処理手段であるＲ／Ｗ処理部１２０と、表示領域に表示される目視データの書き換え処理を行う目視データ処理手段である目視データ処理部１３０とを備える。
【００３５】
搬送部１１０は、複数の搬送ローラ１１１ａ〜１１１ｄと、搬送ローラ１１１ａ〜１１１ｄに巻架された搬送ベルト１１２と、搬送面Ｐを挟んで各搬送ローラ１１１ａ〜１１１ｄと対向配置され搬送ベルト１１２の搬送面Ｐに圧接している押圧ローラ１１３ａ〜１１３ｄと、搬送される非接触ＩＣカード３０の位置を検出する位置検出用センサ１１４ａ〜１１４ｄと、搬送ローラ１１１ａ〜１１１ｄの少なくとも１つに図示しない減速機構を介して駆動力を伝達して回転させて搬送ベルト１１２を駆動するモータ及びその制御回路（図示せず）を備えたモータ部１１６と、から構成される。尚、各押圧ローラ１１３ａ〜１１３ｄは、１つの支持ブロック１１５に取り付けられ、該支持ブロック１１５がばね１１３Ａ，１１３Ｂ等によって所要の圧力で搬送面Ｐの方向に押圧されている。
【００３６】
各位置検出用センサ１１４ａ〜１１４ｄは、例えば透過型のフォトセンサ等が搬送経路に沿った所定の位置に配置され、搬送される非接触ＩＣカード３０の通過を検出する。ここでは、位置検出用センサ１１４ａがカード挿入・返却口１４０の近傍に設けられ、カード挿入・返却口１４０から出し入れされる非接触ＩＣカード３０を検出する。また、位置検出用センサ１１４ｂ，１１４ｃが、目視データ処理部１３０の近傍に設けられ、非接触ＩＣカード３０の表示領域に対応する磁気層６領域に対して目視データ用の磁気データの消去・記録が正確に実行されるように、非接触ＩＣカード３０の位置を検出する。更に、位置検出用センサ１１４ｄがＲ／Ｗ処理部１２０の近傍に設けられ、非接触ＩＣカード３０を検出する。各位置検出用センサ１１４ａ〜１１４ｄの検出結果は、モータ部１１６や目視データ処理部１３０等に送られる。
【００３７】
モータ部１１６は、各位置検出用センサ１１４ａ〜１１４ｄからの検出結果に従って、モータの駆動状態が制御回路によって制御され、搬送ベルト１１２の駆動・停止及び搬送方向の切り替えを制御する。
【００３８】
Ｒ／Ｗ処理部１２０は、図示しないが、非接触ＩＣカード３０と交信するアンテナと、該アンテナを介して送受信される信号を制御するコントローラとを備え、例えば、モータ部１１６後方の搬送面Ｐ下方に配置される。このＲ／Ｗ処理部１２０は、上方の搬送面Ｐまで処理可能領域（アンテナの通信可能エリア）が広がっていて、その領域内を搬送される非接触ＩＣカード３０に対して非接触で信号の送受信を行う。具体的には、処理可能領域内の非接触ＩＣカード３０から発信される信号をアンテナで受信し、該受信信号をコントローラで処理して非接触ＩＣカード３０の記憶データを読み取ると共に、非接触ＩＣカード３０にデータを書き込むための信号をコントローラで生成し、該信号をアンテナから外部に発信する。そして、アンテナからの送信信号が非接触ＩＣカード３０で受信されることで、非接触ＩＣカード３０へのデータの書き込みが行われる。
【００３９】
目視データ処理部１３０は、非接触ＩＣカード３０の複数の表示領域（空間部３１ａ〜３１ｄ）の目視データの書き換え処理が可能なように、カード搬送方向に対して直交する方向に配置された２つの磁気ヘッド部１３１，１３２（図６参照）と、各加圧ローラ１３３ａ，１３３ｂと、を備えて構成される。前記磁気ヘッド部１３１，１３２は、それぞれ非接触ＩＣカード３０の磁気層６を磁化して目視データを表示させる記録用磁気ヘッド１３１ａ，１３２ａと、表示された目視データを消去する消去用磁気ヘッド１３１ｂ，１３２ｂとを備え、非接触ＩＣカード３０の磁気媒体層２（又は印刷層１３）に接するように搬送面Ｐの下側に配置されている。記録用磁気ヘッド１３１ａ，１３２ａ及び消去用磁気ヘッド１３１ｂ，１３２ｂを確実に接触させるための各加圧ローラ１３３ａ，１３３ｂは、記録用磁気ヘッド１３１ａ，１３２ａ及び消去用磁気ヘッド１３１ｂ，１３２ｂに対向する位置にそれぞれ配置され、ばね１３４ａ，１３４ｂ等によって所定圧力で、記録用磁気ヘッド１３１ａ，１３２ａ及び消去用磁気ヘッド１３１ｂ，１３２ｂに対して押圧されている。
【００４０】
目視データ処理部１３０の近くに搬送された非接触ＩＣカード３０に対して目視データ処理を行う場合には、位置検出用センサ１１４ｂ，１１４ｃの検出結果に基づいて、非接触ＩＣカード３０の磁気層６に消去用磁気ヘッド１３１ｂ，１３２ｂ及び記録用磁気ヘッド１３１ａ，１３２ａの先端部分が順次圧接し、消去用磁気ヘッド１３１ｂ，１３２ｂが磁気層６の磁気データを消去し、記録用磁気ヘッド１３１ａ，１３２ａが新たな磁気データを記録することにより、目視データの書き換え処理が行われる。
【００４１】
また、消去用磁気ヘッド１３１ｂ，１３２ｂはＲ／Ｗ処理機能を備えるので、非接触ＩＣカード３０の磁気層６の一部に、図２に示すような方向判別用磁気データ記録領域１７を設けて方向判別用磁気マーク１６を非接触ＩＣカード３０の発行時に記録しておけば、磁気マーク１６を読み出してカード方向を判別することが可能となる。これにより、目視データ処理部１３０を、非接触ＩＣカード３０が目視データ処理部１３０に対して正しい搬送状態にあるか否かを判断するカード方向判別部として兼用することができる。
【００４２】
次に、第１実施形態の処理動作を説明する。
ここでは、図７に示すように、非接触ＩＣカード３０がカード挿入・返却口１４０に挿入されてから、カード方向判別処理、記憶データのＲ／Ｗ処理及び目視データの表示処理が行われた後に、再びカード挿入・返却口１４０から返却されるまでの一連の動作について説明する。このような処理が行われる具体例としては、ポイントカード処理や手挿入によるカード発行処理等がある。
【００４３】
まず、非接触ＩＣカード３０がカード挿入・返却口１４０から挿入されると、挿入された非接触ＩＣカード３０を位置検出用センサ１１４ａが検出し、その検出結果がモータ部１１６に送られる。モータ部１１６は、位置検出用センサ１１４ａの検出結果を受けて、搬送ベルト１１２が非接触ＩＣカード３０を装置内部に引き込む方向に移動するようにモータを回転駆動する。モータの駆動力は減速機構を介して搬送ローラ１１１ａ〜１１１ｄに伝達されて搬送ベルト１１２の移動が開始され、非接触ＩＣカード３０は搬送ベルト１１２の搬送面Ｐ上を押圧ローラ１１３ａに押圧されながら目視データ処理部１３０に向けて搬送される（図７の（イ））。
【００４４】
非接触ＩＣカード３０が目視データ処理部１３０に到達すると、例えば消去用磁気ヘッド１３１ｂにより、方向判別データ用記録領域に記録される磁気マークを読み取り、非接触ＩＣカード３０の挿入状態が正常か否かが判別される（図７の（ロ））。
【００４５】
カード挿入方向が正常でないならば、搬送方向を逆転して、カード挿入・返却口１４０に非接触ＩＣカード３０を戻す（図７の（ロ）′）。
カード挿入方向が正常であれば、非接触ＩＣカード３０をそのままＲ／Ｗ処理部１２０に搬送する。非接触ＩＣカード３０が位置検出用センサ１１４ｄで検出されると搬送を停止し、その位置でＲ／Ｗ処理部１２０と非接触ＩＣカード３０間で信号を送受信して、記憶データのＲ／Ｗ処理を行う（図７の（ハ））。
【００４６】
Ｒ／Ｗ処理部１２０でのＲ／Ｗ処理終了結果はモータ部１１６に送られる。モータ部１１６は、非接触ＩＣカード３０に対するＲ／Ｗ処理の終了したことを判断し、モータの回転方向を反転させる。これにより、搬送ベルト１１２の移動方向が切り替わって、非接触ＩＣカード３０は目視データ処理部１３０の方向に逆転搬送される。搬送された非接触ＩＣカード３０が位置検出用センサ１１４ｃ，１１４ｂで検出されると、両磁気ヘッド部１３１，１３２により、対応する表示領域に対して目視データの書き換え表示処理が行われる。即ち、消去用磁気ヘッド１３１ｂ，１３２ｂにより表示領域の磁気データを消去し、その後、記録用磁気ヘッド１３１ａ，１３２ａで新たな目視データ用の磁気データの書き込み処理が行われる（図７の（ニ））。尚、ここでは、目視データ処理部１３０は、Ｒ／Ｗ処理部１２０で処理された記憶データに応じた目視データの書き換え表示処理を行うものとする。
【００４７】
目視データ表示処理終了後、非接触ＩＣカード３０はカード挿入・返却口１４０の方向に搬送される。非接触ＩＣカード３０が位置検出用センサ１１４ａによって検出されると、非接触ＩＣカード３０がカード挿入・返却口１４０に返却されたと判断し、搬送を停止する（図７の（ホ））。
【００４８】
かかる第１実施形態の非接触ＩＣカード処理装置によれば、複数の磁気ヘッド部１３１，１３２を設けたことにより、複数の表示領域を有する非接触ＩＣカード３０に対しても従来同様に容易に目視データの書き換え処理が可能となる。
尚、複数の表示領域を備える非接触ＩＣカードを処理対象とする場合、例えば非接触ＩＣカード３０の複数の表示領域を選択指定できる領域指定操作手段を設け、領域指定操作手段で選択した表示領域の目視データのみを書き換え処理するようにすることも可能である。この場合、略固定の目視データと頻繁に書き換える目視データを複数の表示領域に分けて表示させるようにすれば、頻繁に書き換える目視データだけを選択して書き換えることが可能になる。
【００４９】
また、Ｒ／Ｗ処理部１２０を、目視データ処理部１３０の手前側、即ち、カード挿入・返却口１４０と目視データ処理部１３０との間に配置してもよい。この場合、例えば非接触ＩＣカード３０を図７の左方向から右方向へ搬送しながら、まず、Ｒ／Ｗ処理部１２０で記憶データを確認した後、そのまま搬送方向を逆転せずに非接触ＩＣカード３０を搬送し、確認した記憶データに基づいて消去用磁気ヘッド１３１ｂ，１３２ｂで磁気データを消去し、記録用磁気ヘッド１３１ａ，１３２ａで磁気データを書き込み、目視データの表示処理を行う。目視データの表示処理が完了する位置まで非接触ＩＣカード３０を搬送すると、搬送方向を逆転してカード挿入・返却口１４０方向に搬送して返却する。このためん、位置検出用センサ１１４ａ〜１１４ｄや磁気ヘッド部１３１，１３２の記録用磁気ヘッド１３１ａ，１３２ａ及び消去用磁気ヘッド１３１ｂ，１３２ｂの配置が、上述した処理順序に基づいて変更されることは言うまでもない。
【００５０】
次に、本発明の非接触ＩＣカード処理装置の第２実施形態について説明する。
本実施形態の非接触ＩＣカード処理装置は、ＩＣ８に記憶されている記憶データに基づいて目視データのみを更新可能な更新処理機に適用するものである。尚、本実施形態は、第１実施形態とハード構成は同じで、制御処理ソフトが異なるだけである。ただし、処理対象の非接触ＩＣカードの表示領域は１つでも複数でもよい。また、カード搬送方向に対して直交する方向に複数の表示領域がない非接触ＩＣカードの場合は、磁気ヘッド部は１つあればよい。
【００５１】
第２実施形態の処理動作について説明する。尚、ここでは、図４に示す構成の非接触ＩＣカード３０を処理する場合について説明する。
非接触ＩＣカードがカード挿入・返却口１４０に挿入されてからＲ／Ｗ処理部１２０に搬送されるまでは第１実施形態と同様の動作である。
【００５２】
本実施形態では、非接触ＩＣカード３０が通信可能エリアに停止すると、Ｒ／Ｗ処理部１２０は非接触ＩＣカード３０に記憶された最新の記憶データの読み込み処理だけを行う。Ｒ／Ｗ処理部１２０での処理終了結果はモータ部１１６に送られ、モータ部１１６は、モータの回転方向を反転させて非接触ＩＣカード３０を目視データ処理部１３０の方向に搬送する。
【００５３】
目視データ処理部１３０は、Ｒ／Ｗ処理部１２０で読み込んだ最新の記憶データに基づいて、搬送された非接触ＩＣカード３０の表示領域の目視データを書き換える。目視データ書き換え処理終了後、非接触ＩＣカード３０はカード挿入・返却口１４０から返却される。
【００５４】
かかる第２実施形態の非接触ＩＣカード処理装置によれば、非接触ＩＣカードの使用形態として、ＩＣ８内の記憶データだけが更新され目視データが更新されないような使用形態（例えば鉄道交通で利用する定期券等が考えられる）の場合、カードを利用した（記憶データのみの書き換え）後、本実施形態の更新処理機に非接触ＩＣカードを挿入することで、ＩＣの書き換えられた最新記憶データを確認して表示領域の目視データだけを書き換え処理することができる。従って、カード利用後に利用履歴等を目視データで確認することが可能である。
尚、第１実施形態の非接触ＩＣカード処理装置１００に、目視データだけの書き換え処理を選択できる選択操作手段を設ければ、第１実施形態の処理装置１００でも第２実施形態と同様に目視データだけの書き換え処理を可能にできる。
【００５５】
本発明の非接触ＩＣカード処理装置を更新処理機等に適用する場合、磁気を利用して目視データを表示させる非接触ＩＣカードに限らず、熱可逆性の感熱層（例えばロイコ層）を利用した目視データ表示部を備える非接触ＩＣカードにも適用できる。この場合、磁気ヘッドをサーマルヘッドに置き換え、ＩＣの最新の記憶データを読み出して確認し、確認した最新記憶データに基づいて、感熱層の目視データだけを書き換え処理することになる。
【図面の簡単な説明】
【００５６】
【図１】本発明に係る非接触ＩＣカードの第１実施形態を示す断面図
【図２】第１実施形態の平面図
【図３】本発明に係る非接触ＩＣカードの第２実施形態を示す断面図
【図４】本発明に係る非接触ＩＣカードの第３実施形態を示す平面図
【図５】本発明に係る非接触ＩＣカード処理装置の第１実施形態の構成を示す簡略側方断面図
【図６】磁気ヘッド部の配置状態を示す図
【図７】第１実施形態のカード処理状態の説明図
【符号の説明】
【００５７】
１、２０，３０    非接触ＩＣカード
２    磁気媒体層
３    ＩＣカードシート
４、２３    透明フィルム
５    ベースフィルム
６    磁気層
７    印刷層
８    ＩＣ
９    アンテナ
１１、２４，３１ａ〜３１ｄ    空間部
１２    磁性粒子
２１    コア層
１００    非接触ＩＣカード処理装置
１１１ａ〜１１１ｄ    搬送ローラ
１１２    搬送ベルト
１１３ａ〜１１３ｄ    押圧ローラ
１１４ａ〜１１４ｄ    位置検出用センサ
１１６    モータ部
１２０    Ｒ／Ｗ処理部
１３０    目視データ処理部
１３１ａ、１３２ａ    記録用磁気ヘッド
１３１ｂ、１３２ｂ    消去用磁気ヘッド
【図１】
2005135019.tif 000003
【図２】
2005135019.tif 000004
【図３】
2005135019.tif 000005
【図４】
2005135019.tif 000006
【図５】
2005135019.tif 000007
【図６】
2005135019.tif 000008
【図７】
2005135019.tif 000009